(57)【特許請求の範囲】
【請求項１】
ネットワークを通じて端末と接続されるとともに、検索キーワードを指定した検索要求を何れかの端末から受信すると、その検索キーワードを含む情報を前記ネットワーク上で公開しているサイトのＵＲＬを検索し、検索の結果得られた１又は複数のサイトのＵＲＬを応答する検索処理を実行する検索サーバを利用するホットサイト提示システムであって、
前記検索サーバが前記検索処理を実行する毎に、前記検索サーバが応答した各サイトのＵＲＬについて、夫々、当該ＵＲＬをパラメータとしたリダイレクトＵＲＬを生成し、生成した複数のリダイレクトＵＲＬを組み込んだ検索結果データを要求元端末へ送信する応答手段と、
前記リダイレクトＵＲＬの宛先であるととともに、前記リダイレクトＵＲＬを指定したアクセス要求を受信すると、当該リダイレクトＵＲＬにパラメータとして含まれるサイトのＵＲＬ宛に、当該アクセス要求を転送するとともに、当該リダイレクトＵＲＬにパラメータとして含まれる前記サイトのＵＲＬ及び転送時刻情報を含む転送ログを記憶装置に蓄積する転送手段と、
所定の集計期間及び比較対象期間が決定されると、前記転送時刻情報が示す時刻が当該集権期間又は当該比較対象期間に含まれる前記転送ログを前記記憶装置から読み出し、読み出した各転送ログを、含まれる前記サイトのＵＲＬ毎に仕分け、各サイトのＵＲＬ毎に、前記転送時間情報が前記集計期間に含まれる転送ログの数の前記転送時刻情報が前記比較対象期間に含まれる転送ログの数に対する比である上昇率を計算し、前記各サイトのＵＲＬについて算出された上昇率に基づいて前記サイトのＵＲＬの順位を決定するサイト順位決定手段と、
何れかの端末から順位提示要求を受信すると、前記サイト順位決定手段によって決定された前記サイトのＵＲＬの順位を表すデータを、要求元端末へ送信する順位提示手段と
を含むことを特徴とするホットサイト提示システム。
【請求項２】
ネットワークを通じて端末と接続されるとともに、検索キーワードを指定した検索要求を何れかの端末から受信すると、その検索キーワードを含む情報を前記ネットワーク上で公開しているサイトのＵＲＬを検索し、検索の結果得られた１又は複数のサイトのＵＲＬを応答する検索処理を実行する検索サーバを利用するホットサイト提示システムであって、
前記検索サーバが前記検索処理を実行する毎に、一意の識別情報を特定し、前記検索サーバが応答した各サイトのＵＲＬについて、夫々、当該ＵＲＬ及び前記識別情報をパラメータとしたリダイレクトＵＲＬを生成し、生成した複数のリダイレクトＵＲＬを組み込んだ検索結果データを要求元端末へ送信するとともに、前記識別情報、前記検索処理に用いられた検索キーワード，前記検索処理の時刻を示す検索時刻情報及び前記検索識別情報を含む検索キーワードログを、記憶装置に蓄積する検索キーワードログ保存手段と、
前記リダイレクトＵＲＬの宛先であるととともに、前記リダイレクトＵＲＬを指定したアクセス要求を受信すると、当該リダイレクトＵＲＬにパラメータとして含まれるサイトのＵＲＬ宛に、当該アクセス要求を転送するとともに、当該リダイレクトＵＲＬにパラメータとして含まれる識別情報及び前記サイトのＵＲＬ，並びに、転送時刻情報を含む転送ログを記憶装置に蓄積する転送手段と、
所定の集計期間及び比較対象期間が決定されると、前記検索時刻情報が示す時刻が当該集権期間又は当該比較対象期間に含まれる前記検索キーワードログを前記記憶装置から読み出し、読み出した各検索キーワードログを、含まれる検索キーワード毎に仕分け、各検索キーワード毎に、前記検索時間情報が前記集計期間に含まれる検索キーワードログの数の前記検索時刻情報が前記比較対象期間に含まれる検索キーワードログの数に対する比である上昇率を計算し、各検索キーワードについて算出された上昇率に基づいて検索キーワードの順位を決定するキーワード順位決定手段と、
前記転送時刻情報が示す時刻が当該集権期間又は当該比較対象期間に含まれる前記転送ログを前記記憶装置から読み出し、読み出した各転送ログを、夫々、同じ識別情報を含む前記検索キーワードログと結合し、結合されたログを、含まれる前記検索キーワード及び前記サイトのＵＲＬの組合せ毎に仕分け、各検索キーワード及び前記サイトのＵＲＬの組合せ毎に、前記転送時間情報が前記集計期間に含まれるログの数の前記転送時刻情報が前記比較対象期間に含まれるログの数に対する比である上昇率を計算し、各検索キーワード及び前記サイトのＵＲＬの組合せについて算出された上昇率に基づいて前記検索キーワード毎の前記サイトのＵＲＬの順位を決定するサイト順位決定手段と、
何れかの端末から順位提示要求を受信すると、前記キーワード順位決定手段によって決定された各順位のキーワード毎に、前記サイト順位決定手段によって決定された前記サイトのＵＲＬの順位を表すデータを、要求元端末へ送信する順位提示手段と
を含むことを特徴とするホットサイト提示システム。
【請求項３】
前記所定の集計期間及び前記比較対象期間を規定する定義が予め任意に設定されて記憶装置に登録されるとともに、
前記キーワード順位決定手段は、この記憶装置に登録された定義によって規定された所定時間及び比較対象期間に応じて、前記検索キーワードの順位の決定を行い、
前記サイト順位決定手段は、この記憶装置に登録された定義によって規定された所定時間及び比較対象期間に応じて、前記検索キーワード毎の前記場所情報の順位の決定を行うことを特徴とする請求項２記載のホットサイト提示システム。
【請求項４】
前記サイト順位決定手段は、提示対象から除外されるサイトのＵＲＬを一覧したデータベースの内容に基づいて、このデータベースに一覧されている場所情報を除いて、前記キーワード毎の前記サイトのＵＲＬの順位を決定する
ことを特徴とする請求項２記載のホットサイト提示システム。
【発明の詳細な説明】
【技術分野】
【０００１】
本発明は、世間において人々の耳目を集めているサイトのうち人気が高いものを集計して提示するためのホットサイト提示システムに、関する。
【背景技術】
【０００２】
インターネットの普及により、世間において人々の耳目を集めている話題について知りたい場合には、インターネットを通じて、そのような話題についての情報を得ることができるようになった。具体的には、インターネットに接続されている端末を操作することによって、検索エンジンによる検索サービスを提供している検索サイトにアクセスし、その話題を的確に表していると自ら判断するキーワードを検索画面に入力することによって、そのキーワードを含む情報を掲載しているウェブサイトの一覧を表示させ、その一覧にリストアップされている各ウェブサイトを閲覧することによって、そのような情報を得ることができるのである。
【先行技術文献】
【非特許文献】
【０００３】
【非特許文献１】“検索エンジン”、［online］、［平成１４年１１月７日検索］、インターネット＜ＵＲＬ：http://www.din.or.jp/~charade/like/serch.html＞
【発明の概要】
【発明が解決しようとする課題】
【０００４】
しかしながら、従来の検索サイトによる検索サービスでは、検索者は、自分が得ようと思う情報を的確に表していると思われるキーワードを自ら判断して、検索サイトが検索用に提供する検索画面に、入力しなければならなかった。しかも、そのようなキーワードを入力することによって得られたウェブサイトの一覧にリストアップされているウェブサイトは、単に、そのキーワード何らかの形で含んでいる情報を公開していることが保証されているにすぎないので、実際にその情報を含んでいるウェブサイトを捜すには、検索者は、一覧にリストアップされているウェブサイトを実際に一々閲覧しなければならなかった。そして、その話題を含んでいるウェブサイトが無かった場合には、別のキーワードを検索画面に入力して、検索し直さなければならなかった。
【０００５】
本発明は、従来の検索サイトによる検索における上記問題点に鑑みてなされたものであり、その課題は、検索エンジンによって検索されたウェブサイトのうち、実際に閲覧された頻度が高い故に世間において人々の耳目を集めている話題についての情報を含んでいる蓋然性の高いウェブサイト（即ち、ホットサイト）を集計して、その頻度順にユーザに提示することができるホットサイト提示システムを、提供することである。
【課題を解決するための手段】
【０００６】
上記課題を解決するために案出された本発明によるホットサイト提示システムは、ネットワークを通じて端末と接続されるとともに、検索キーワードを指定した検索要求を何れかの端末から受信すると、その検索キーワードを含む情報を前記ネットワーク上で公開しているサイトのＵＲＬを検索し、検索の結果得られた１又は複数のサイトのＵＲＬを応答する検索処理を実行する検索サーバを利用するホットサイト提示システムであって、前記検索サーバが前記検索処理を実行する毎に、前記検索サーバが応答した各サイトのＵＲＬについて、夫々、当該ＵＲＬをパラメータとしたリダイレクトＵＲＬを生成し、生成した複数のリダイレクトＵＲＬを組み込んだ検索結果データを要求元端末へ送信する応答手段と、前記リダイレクトＵＲＬの宛先であるととともに、前記リダイレクトＵＲＬを指定し
たアクセス要求を受信すると、当該リダイレクトＵＲＬにパラメータとして含まれるサイトのＵＲＬ宛に、当該アクセス要求を転送するとともに、当該リダイレクトＵＲＬにパラメータとして含まれる識別情報及び前記サイトのＵＲＬ，並びに、転送時刻情報を含む転送ログを記憶装置に蓄積する転送手段と、所定の集計期間及び比較対象期間が決定されると、前記転送時刻情報が示す時刻が当該集権期間又は当該比較対象期間に含まれる前記転送ログを前記記憶装置から読み出し、読み出した各転送ログを、含まれる前記サイトのＵＲＬ毎に仕分け、各サイトのＵＲＬ毎に、前記転送時間情報が前記集計期間に含まれる転送ログの数の前記転送時刻情報が前記比較対象期間に含まれる転送ログの数に対する比である上昇率を計算し、前記各サイトのＵＲＬについて算出された上昇率に基づいて前記サイトのＵＲＬの順位を決定するサイト順位決定手段と、何れかの端末から順位提示要求を受信すると、前記サイト順位決定手段によって決定された前記サイトのＵＲＬの順位を表すデータを、要求元端末へ送信する順位提示手段とを、含むことを特徴とする。
【０００７】
このように構成された本発明のホットサイト提示システムによると、検索サーバが検索処理を実行する毎に、検索結果をリダイレクトＵＲＬとして組み込んだ検索結果データが、要求元端末へ応答される。そして、要求元端末において、何れかのリダイレクトＵＲＬが選択されて、これを宛先とするアクセス要求を送信すると、当該アクセス要求は、転送手段によって受信され、この受信手段によって本来の目的サイト（リダイレクトＵＲＬにパラメータとして含まれるサイトのＵＲＬが示すサイト）へ転送されるとともに、当該リダイレクトＵＲＬ及び転送時刻情報とを含む転送ログが蓄積される。このようにして、所定の集計期間中に蓄積された転送ログの数と比較対象期間中に蓄積された転送ログの数とに基づいて、各サイト毎の上昇率が算出されて、算出された上昇率に基づいてサイトの順位が決定される。このようにして決定された順位が高いサイトは、所定期間において実際にアクセスされた数が急増したものであるので、世間において人々の耳目を集めている話題についての情報を含んでいる蓋然性が高い。従って、そのサイトの順位が提示されれば、これを見た者は、世間において人々の耳目を集めている話題の内容を知ることができる。
【０００８】
所定期間と比較対照期間とは、予め固定的に決められていても良いし、１日とか一週間とかの所定周期毎に自動的に更新されても良い。
【発明の効果】
【０００９】
本発明のホットサイト提示システムによると、検索エンジンによって検索されたウェブサイトのうち、実際に閲覧された頻度が高い故に世間において人々の耳目を集めている話題についての情報を含んでいる蓋然性の高いウェブサイト（即ち、ホットサイト）を集計して、その頻度順にユーザに提示することができる。
【図面の簡単な説明】
【００１０】
【図１】本発明の一実施形態としてのネットワークシステムのブロック図
【図２】検索サーバプログラムに従って検索サーバが実行する処理の内容を示すフローチャート
【図３】リダイレクトサーバプログラムに従ってリダイレクトサーバが実行する処理の内容を示すフローチャート
【図４】ログ集計サーバプログラムに従ってログ集計サーバが実行する集計処理の内容を示すフローチャート
【図５】ログ集計サーバプログラムに従ってログ集計サーバが実行するＨｏｔキーワード＆Ｈｏｔサイト決定処理の内容を示すフローチャート
【図６】ログ集計サーバプログラムに従ってログ集計サーバが実行するＨｏｔキーワード＆Ｈｏｔサイト決定処理及びＨｏｔキーワード＆Ｈｏｔサイトページ生成処理の内容を示すフローチャート
【図７】キーワードログデータベースのデータ構造を示す図
【図８】リダイレクトサイトログデータベースのデータ構造を示す図
【図９】キーワードランキングデータベースのデータ構造を示す図
【図１０】キーワードサイトランキングデータベースのデータ構造を示す図
【図１１】Ｈｏｔキーワードデータベースのデータ構造を示す図
【図１２】Ｈｏｔサイトデータベースのデータ構造を示す図
【図１３】検索画面を示す図
【図１４】結果ページを示す図
【図１５】Ｈｏｔキーワード＆Ｈｏｔサイト条件入力画面を示す図
【図１６】Ｈｏｔキーワード＆Ｈｏｔサイト条件入力画面及びＨｏｔキーワード＆Ｈｏｔサイトページを結合した画面を示す図
【図１７】Ｈｏｔキーワード＆Ｈｏｔサイトページを示す図
【発明を実施するための形態】
【００１１】
以下、図面に基づいて、本発明によるホットサイト提示システムの実施の形態を、説明する。
（システム構成）
図１は、上記ホットサイト提示システムが実現されているネットワークシステムの概略構成を示すブロック図である。この図１に示されるように、このネットワークシステムは、インターネットＮによって互いに接続された検索サービスシステム１，複数のユーザ端末２（図１においては１台のみ図示），複数のコンテンツプロバイダサーバ３，及びフィルタリングリング事業者サーバ４から、構成されている。さらに、検索サービスシステム１は、ＬＡＮ（ローカルエリアネットワーク）Ｌを介して相互に接続された複数台のサーバ（検索サーバ１１，リダイレクトサーバ１２，ログ集計サーバ１３，ページ公開サーバ１４），コンソール１５，及びルータ１６から、構成されている。なお、本実施形態において、「サーバ」とは、「何れかのサーバプログラムを実行しているサーバコンピュータ」を意味するものとする。
【００１２】
図１に示されたユーザ端末２は、一般的なインターネットアクセス可能なパーソナルコンピュータであり、バスＢを介して相互に接続されたＣＰＵ２０，通信アダプタ２１，入力装置２３，ディスプレイ２２，ハードディスク２５，及びＲＡＭ２４から、構成されている。ＣＰＵ２０は、ハードディスク２５に格納されている各種プログラムを順次ＲＡＭ２４上に読み出して実行することによってその処理結果をディスプレイ２２上に表示する処理装置である。通信アダプタ２１は、ＣＰＵ２０による制御に従ってＣＰＵ２０から受け取った信号をインターネットが構築されている物理回線に適した信号形態に変換するとともに、インターネットから受信した信号をＣＰＵ２０が処理可能な信号形態に変換するモデム等の装置である。入力装置２３は、ＣＰＵ２０が上記プログラムに従った処理を実行する際にオペレータが各種命令を入力するためのマウス等のポインティングデバイスやキーボードである。
【００１３】
ＣＰＵ２０がハードディスク２５からＲＡＭ２４上に読み出して実行するプログラムには、図示せぬオペレーションシステム（ＯＳ）の他、Ｗｅｂブラウザ２６が、含まれている。オペレーションシステムは、ユーザ端末２を構成する各ハードウェアを制御する機能や、インターネットに対する通信機能（即ち、ＴＣＰ／ＩＰに従った通信機能）を実現する基本プログラムである。また、Ｗｅｂブラウザ２６は、ＣＰＵ２０によって読み出されて実行されることによって、入力装置２３を介して入力又は指定された情報を格納したＨＴＴＰリクエストメッセージをインターネット経由で各種サーバへ送信するとともに、このＨＴＴＰリクエストメッセージに対応してインターネット経由で受信したＨＴＴＰレスポンスメッセージに格納されたウェブコンテンツ（ＨＴＭＬデータ等）に基づいて、ディスプレイ２２上に画面表示を行う。
【００１４】
各コンテンツプロバイダサーバ３は、様々な事業者（以下、「コンテンツ提供事業者」という）によって管理・運営されているサーバコンピュータであり、ＨＴＴＰ（ハイパーテキストトランスファープロトコル）に従ったウェブコンテンツの配信，即ち、各種ウェブサイトの公開を行っている。
【００１５】
検索システム１は、検索サービスを提供している事業者（以下、「検索サービス提供事業者」という）によって管理運営されている。この検索システム１を構成するルータ１６は、インターネットＮとＬＡＮとを接続する装置である。また、コンソール１５は、検索サービス提供事業者の従業員がこの検索システム１を構成する各種サーバの管理（データの監視，データに対する操作，各種コマンドの入力，等）を行うための端末コンピュータであり、ユーザ端末２と同様の構成を有している。
【００１６】
また、第１のサーバとしての検索サーバ１１は、ルータ１６を介してユーザ端末２から受信した要求（ＨＴＴＰリクエスト）に応じて、検索画面をディスプレイ２２上に表示させるためのＨＴＭＬデータをユーザ端末２へ返送し、この検索画面に入力されたキーワードをパラメータとして含む検索要求（検索キーワードを含む検索要求）に応じて、その通信を識別するための一意の識別情報であるセッションＩＤを生成するとともに、ウェブサイトの検索を行い、その検索結果に基づいて検索結果画面（即ち、キーワードを何らかの形で含むウェブサイトの名称を所定のランク順にリストアップするとともにセッションＩＤを表示した画面）を表示させるためのＨＴＭＬデータを生成し、そのＨＴＭＬデータをユーザ端末２へ応答するサーバコンピュータである。なお、この検索画面の構成，検索画面応答の仕組み，検索の仕組み，ウェブサイトのランク順を決定するアルゴリズム，及び検索結果画面の構成は、従来公知のものであるので、その説明を省略する。この検索結果画面を表示させるためのＨＴＭＬデータが、検索キーワードを含む情報をインターネットＮ上で公開している１又は複数のサイトの場所情報を一覧した検索結果データに相当する。なお、検索結果画面にリストアップされた各ウェブサイトの名称には、それがクリックされた場合には、リダイレクトサーバ１２のＵＲＬをリンク先とするとととともに、そのウェブサイトのＵＲＬ（場所情報）をパラメータとしたアクセス要求をリンク先であるリダイレクトサーバ１２へ送信させる命令（アンカータグ）が、組み込まれている。従って、この検索結果画面中にリストアップされている何れかのウェブサイトの名称がユーザ端末２においてクリックされると、ブラウザ２６は、リダイレクトサーバ１２にアクセスして、セッションＩＤとともに、そのウェブサイトのＵＲＬをパラメータとして含むアクセス要求を送信することになる。
【００１７】
検索サーバ１１のハードウェアは、互いにバスＢによって接続されたＣＰＵ１１０，通信アダプタ１１１，ＲＡＭ１１２及びハードディスク１１３から、構成されている。これらのうち、ＣＰＵ１１０は、検索サーバ１１全体の制御を行う中央処理装置である。また、ＲＡＭ１１２は、ＣＰＵ１１０が各種処理を実行するに際しての作業領域が展開される主記憶装置である。また、通信アダプタ１１１は、インターネットＮが構築されている回線（インターネットバックボーン）とのインターフェースをなす通信装置である。
【００１８】
ハードディスク１１３は、ＣＰＵ１１０によって読み出されて実行される各種プログラム及び各種データを格納する外部記憶装置である。このハードディスク１３に格納されるデータとしては、図７にその詳細構成を示す検索キーワードログ１１３１が含まれており、プログラムとしては、ＲＡＭ１１２上に読み出されることによってＣＰＵ１１０に対して上述した処理を実行させるとともに、その検索実行の記録である検索キーワードログ１１３をハードディスク１１３に格納させる検索サーバプログラム１１２１が含まれている。この検索キーワードログ１１３１は、個々の検索毎に生成され、その検索日時（検索情報），その検索に用いられたキーワード（検索キーワード），及び、その検索のための通
信に付与されたセッションＩＤ（一意の識別情報）から、構成されている。
【００１９】
また、第２サーバとしてのリダイレクトサーバ１２は、ルータ１６を介してユーザ端末２から受信したアクセス要求に応じて、通知されたＵＲＬ及びセッションＩＤを記録するとともに、通知されたＵＲＬを宛先としてアクセス要求を転送する（即ち、リダイレクトする）サーバコンピュータである。
【００２０】
リダイレクトサーバ１２のハードウェアは、検索サーバ１１とほぼ共通している。但し、ハードディスク１２３には、プログラムとして、ＲＡＭ１２２上に読み出されることによってＣＰＵ１２０に対して上述した処理を実行させる検索サーバプログラム１２２１が格納されており、データとして、ＣＰＵ１２０による上記処理実行を通じてＵＲＬ及びセッションＩＤを記録するリダイレクトサイトログ１２３１（転送ログ）が格納される。このリダイレクトサイトログ１２３１は、個々のアクセス要求毎に生成され、その転送の時刻（リダイレクト日時），通知されたＵＲＬ（リダイレクトＵＲＬ，即ち場所情報），及び、通知されたセッションＩＤ（一意の識別情報）から、構成されている。
【００２１】
ログ集計サーバ１３は、リダイレクトサーバ１２のハードディスク１２３内のリダイレクトサイトログ１２３１の内容に基づいて、ホットキーワード及びホットサイトを決定し、それらを一覧する画面（Ｈｏｔキーワード＆Ｈｏｔサイトページ）をユーザ端末２のディスプレイ２２上に表示させるためのＨＴＭＬデータ（キーワードの順位を表すデータ，及びキーワード毎の場所情報の順位を表すデータに相当）を生成し、ページ公開サーバ１４にアップロードするサーバコンピュータである。
【００２２】
ログ集計サーバ１３のハードウェアは、検索サーバ１１とほぼ共通している。但し、ハードディスク１３３には、プログラムとして、ＲＡＭ１３２上に読み出されることによってＣＰＵ１３０に対して上述した処理を実行させるログ集計サーバプログラム１３２１が格納されており、データとして、ＣＰＵ１２０が上記処理を実行するために参照するＨｏｔキーワード定義１３３１，並びに、ＣＰＵ１２０が上記処理を実行することによって加工された各種データが登録されるキーワードログデータベース１３３２，リダイレクトサイトログデータベース１３３３，キーワードランキングデータベース１３３４，キーワードサイトランキングデータベース１３３５，ＯＫキーワードデータベース１３３６，ＮＧキーワードデータベース１３３７，定番キーワードデータベース１３３８，Ｈｏｔキーワードデータベース１３３９，及び、Ｈｏｔサイトデータベース１３４０が、格納されている。これら各データについての説明は、ログ集計サーバプログラム１３２１による処理の説明及びＨｏｔキーワード＆Ｈｏｔサイトページの説明ととともに、後において詳しく行う。
【００２３】
ページ公開サーバ１４は、ログ集計サーバ１３によってアップロードされたＨＴＭＬデータによって表示されるＨｏｔキーワード＆Ｈｏｔサイトページを、インターネット上に公開するためのサーバコンピュータである。
【００２４】
このページ公開サーバ１４のハードウェアは、検索サーバ１１とほぼ共通としている。但し、ハードディスク１４３には、ログ集計サーバ１３によってアップロードされたＨＴＭＬデータ１４３１が格納されるとともに、ＲＡＭ１４２に読み出されることによってＣＰＵ１４０に対してＨｏｔキーワード＆Ｈｏｔサイトページを表示させるためのＨＴＭＬデータをユーザ端末２からのリクエスト（順位提示要求）に応じて応答させるページ公開サーバプログラム（ＷＷＷサーバプログラム）１４２が格納されている。
【００２５】
フィルタリング事業者サーバ４は、本実施形態の検索システム１によるような検索サービスを提供している検索サービス提供事業者との間で契約を結んだ業者（以下「フィルタ
リング事業者」という）によって管理運営されるサーバコンピュータであり、有害なＵＲＬ（アダルトサイトのＵＲＬ，違法行為を助長するウェブサイトのＵＲＬ等、予め提示対象から除外された有害サイトの場所情報）を予め一覧しているフィルタリングデータベース４１を格納しているとともに、このフィルタリング事業者と契約を結んだ検索サービス提供事業者が管理・運営するサーバ（本実施形態の検索システム１においてはログ集計サーバ１３）からの問い合わせに従って、問い合わせされたウェブサイトのＵＲＬがフィルタリングデータベース４１に登録されているものに該当するか否かを応答する。このフィルタリング事業者サーバ４は、従来公知のものであるので、その説明を省略する。
【００２６】
以下、図２乃至図６のフローチャート，図７乃至図１２のデータ構成図，及び、図１３乃至図１７の画面構成図を参照して、検索サーバプログラム１１２１に従った検索サーバ１１の処理内容，リダイレクトサーバプログラム１２２１に従ったリダイレクトサーバ１２の処理内容，ログ集計サーバプログラム１３２１に従ったログ集計サーバ１３の処理内容を、順次、詳細に説明する。
【００２７】
まず最初に、検索サーバプログラム１１２１に従った検索サーバ１１の処理内容を説明する。図２は、この検索サーバプログラム１１２１による処理内容を示すフローチャートである。この検索サーバプログラム１１２１は、自己を示すＵＲＬを指定したＨＴＴＰリクエストを何れかのユーザ端末２から受信することによって、スタートする。そして、スタートして最初のＳ００１では、検索サーバ１１は、図１３に示す検索画面を表示させるためのＨＴＭＬデータを、リクエスト元のユーザ端末２へ送信する。この検索画面には、検索条件として指定されるキーワードが設定されるキーワードテキストボックス５０及び「検索」ボタン５１が含まれているとともに、この「検索」ボタン５１がクリックされた時にはキーワードテキストボックス５０に設定されている文字列が検索キーワードを示すパラメータとして含まれる検索要求を検索サーバ１１へ送信させるアクション（フォームタグ）が組み込まれている。
【００２８】
次のＳ００２では、検索サーバ１１は、Ｓ００１にて検索画面のＨＴＭＬデータを送信したユーザ端末２から、検索要求を受信するのを待つ。そして、ユーザ端末２から検索要求を受信すると、検索サーバ１１は、処理をＳ００３へ進める。
【００２９】
Ｓ００３では、検索サーバ１１は、Ｓ００２にてユーザ端末２から受信した検索要求にパラメータとして含まれる検索キーワードに基づいて、ウェブサイトの検索を実行する。
【００３０】
次のＳ００４では、検索サーバ１１は、今回のユーザ端末２との間の通信を一意に識別するためのセッションＩＤを動的に生成する。
【００３１】
次のＳ００５では、検索サーバ１１は、Ｓ００３での検索に用いた検索キーワード，Ｓ００４にて生成したセッションＩＤ，及び検索日時としての現在日時からなる検索キーワードログ１１３１を生成して、ハードディスク１１３に格納する。
【００３２】
次のＳ００６では、検索サーバ１１は、Ｓ００３での検索結果及びＳ００４にて生成したセッションＩＤに基づいて、図１４に示すような検索結果ページを表示させるためのＨＴＭＬデータを生成して、リクエスト元のユーザ端末２へ送信する。この検索ページの内容は、既に説明した通りである。このＳ００６を完了すると、検索サーバ１１は、検索サーバプログラム１１２１による全処理を完了する。以上に説明したＳ００２乃至Ｓ００６が、検索ステップに相当する。
【００３３】
次に、リダイレクトサーバプログラム１２２１に従ったリダイレクトサーバ１２の処理内容を説明する。図３は、このリダイレクトサーバプログラム１２２１による処理内容を
示すフローチャートである。このリダイレクトサーバプログラム１２２１は、自己を示すＵＲＬを指定したアクセス要求（即ち、上述したように、検索結果ページ上の何れかのウェブサイトの名称がクリックされた時に送信されるとともにリダイレクトＵＲＬ及びセッションＩＤを含むアクセス要求）がユーザ端末２から送信され（アクセス要求ステップ）、このアクセス要求を受信した時に、スタートする。そして、スタート後最初のＳ２０１では、リダイレクトサーバ１２は、アクセス要求に含まれるセッションＩＤ及びリダイレクトＵＲＬ，並びにリダイレクト日時としての現在日時からなるリダイレクトサイトログ（転送ログ）１２３１を生成して、ハードディスク１２３に格納する。
【００３４】
次のＳ２０２では、リダイレクトサーバ１２は、アクセス要求にパラメータとして含まれるリダイレクトＵＲＬを宛先として、アクセス要求を、そのリダイレクトＵＲＬが示すコンテンツプロバイダサーバ３へ転送する。このＳ２０２を完了すると、リダイレクトサーバ１２は、リダイレクトサーバプログラム１２２１による全処理を完了する。以上に説明したＳ２０１及びＳ２０２が、転送ステップに相当する。
【００３５】
次に、ログ集計サーバプログラム１３２１に従ったログ集計サーバ１３の処理内容を説明する。
【００３６】
図４は、ログ集計サーバ１３が１時間に一回の周期で自動実行する「集計処理」を示すフローチャートである。この集計処理がスタートして最初のＳ３０１では、ログ集計サーバ１３は、検索サーバ１１のハードディスク１１３内に格納されている全検索キーワードログ１１３１を取り出して（コピーして削除）、それらの内容をキーワードログデータベース１３３２に登録する（キーワード順位決定ステップに相当）。このキーワードログデータベース１３３２は、図７に示すように、検索キーワードログ１１３１を構成する検索日時，検索キーワード及びセッションＩＤに夫々対応した３つのカラムから構成されたレコードが、各検索キーワードログ１１３１毎に登録されるデータ構造を有している。
【００３７】
次のＳ３０２では、ログ集計サーバ１３は、リダイレクトサーバ１２のハードディスク１２３内に格納されている全リダイレクトサイトログ１２３１を取り出して（コピーして削除）、それらの内容をリダイレクトサイトログデータベー１３３３に登録する（サイト順位決定ステップに相当）。このリダイレクトサイトログデータベース１３３３は、図８に示すように、リダイレクトサイトログ１２３１を構成するリダイレクト日時，リダイレクトＵＲＬ及びセッションＩＤに夫々対応した３つのカラムから構成されたレコードが、各リダイレクトサイトログ１２３１毎に登録されるデータ構造を有している。
【００３８】
次のＳ３０３では、ログ集計サーバ１３は、キーワードログデータベース１３３２に登録されている過去１時間分の検索キーワードログ１１３１の内容（即ち、検索日時が前回の集計処理の実行時よりも後である全レコード）に基づき、これらレコードの数を各検索キーワード毎に分類して集計する（即ち、過去１時間の間に各検索キーワードが検索に使用された回数を集計する。）。そして、各検索キーワード毎に、集計された回数及び現在年月日時刻を、キーワードランキングデータベース１３３４に登録する（キーワード順位決定ステップに相当）。このキーワードランキングデータベース１３３４は、図９に示すように、現在年月日時刻（YYYYMMDDHH），検索キーワード及び回数からなるレコードが、蓄積されるデータ構造となっている。
【００３９】
次のＳ３０４では、ログ集計サーバ１３は、キーワードログデータベース１３３２に登録されている過去１時間分の検索キーワードログ１１３１の内容（レコード）及びリダイレクトサイトログデータベース１３３３に登録されている過去１時間分のリダイレクトサイトログ１２３１の内容（即ち、リダイレクト日時が前回の集計処理の実行時よりも後である全レコード）に基づき、前者に含まれる各検索キーワードログ１１３１の内容（レコ
ード）と後者に含まれる各リダイレクトログ１２３１の内容（レコード）とを、それらに含まれるセッションＩＤをキーとして連結し、連結されたレコード対に含まれ得る検索キーワード及びリダイレクトＵＲＬの組合せ毎に、その組合わせを含むレコード対の数を集計する（即ち、過去１時間の間に、個々の検索キーワードによる検索に基づいて各リダイレクトＵＲＬがアクセスアクセスされた回数を集計する。）。そして、各検索キーワード及びリダイレクトＵＲＬの組合せ毎に、集計された回数及び現在年月日時刻を、キーワードサイトランキングデータベース１３３５に登録する（サイト順位決定ステップに相当）。このキーワードサイトランキングデータベース１３３５は、図１０に示すように、現在年月日時刻（YYYYMMDDHH），検索キーワード，リダイレクトＵＲＬ及び回数からなるレコードが、蓄積される構造となっている。Ｓ３０４を完了すると、ログ集計サーバ１３は、この集計処理を終了する。
【００４０】
図５及び図６は、検索サービス提供事業者の従業員がコンソール１５から特定コマンドをログ集計サーバ１３へ送信することによってスタートする「Ｈｏｔキーワード＆Ｈｏｔサイト決定処理」及び「Ｈｏｔキーワード＆Ｈｏｔサイトページ生成処理」を示すフローチャートである。このうちのＨｏｔキーワード＆Ｈｏｔサイト決定処理がスタートして最初のＳ４００では、ログ集計サーバ１３は、コンソール１５に対して、Ｈｏｔキーワード＆Ｈｏｔサイト条件入力画面を表示させるためのＨＴＭＬデータを送信する。このＨｏｔキーワード＆Ｈｏｔサイト条件入力画面は、図１５に示すように、集計期間の始期及び終期を夫々設定するための一対の集計期間設定テキストボックス５２，５３，後述する上昇率計算のための比較対象としての前回期間（以下、「対象集計期間」と称する）の始期及び終期を夫々設定するための一対の対象集計期間設定テキストボックス５４，５５，検索キーワードがホットキーワードとされるための最低限の検索での使用回数を設定するための検索回数テキストボックス５６，個々の検索キーワードについて各リダイレクトＵＲＬがホットサイトとされるための検索キーワード毎の最低限のアクセス回数を設定するためのクリック数テキストボックス５７，検索キーワードがＯＫワードである場合にはホットキーワードから除外することを設定するＯＫワードチェックボックス５８，検索キーワードがＮＧワードである場合にはホットキーワードから除外することを設定するＮＧワードチェックボックス５９，検索キーワードが定番ワードである場合にはホットキーワードから除外することを設定する定番ワードチェックボックス６０，及び「集計」ボタン６１が含まれているとともに、この「集計」ボタン６１がクリックされた時に、各アイテム５２〜６０に設定されている条件をパラメータとしてログ集計サーバ１３へ送信するアクション（フォームタグ）が組み込まれている。
【００４１】
次のＳ４０１では、ログ集計サーバ１３は、コンソール１５からの前記Ｈｏｔキーワード＆Ｈｏｔサイト条件入力画面に基づくメッセージの受信を待つ。そして、コンソール１５からメッセージを受信すると、処理をＳ４０２へ進める。
【００４２】
Ｓ４０２では、ログ集計サーバ１３は、コンソール１５から受信したメッセージに含まれる条件を、所定期間を規定する定義及び比較対照期間を規定する定義を含むＨｏｔキーワード定義１３３１として、ハードディスク１３３に記憶する。
【００４３】
次のＳ４０３では、ログ集計サーバ１３は、Ｓ４０２にて記憶したＨｏｔキーワード定義１３３１を参照して、「集計期間（所定期間）」，「対象集計期間（比較対照期間）」，「最低検索回数（検索回数）」及び「最低クリック数（クリック数）」を、取得する。
【００４４】
次のＳ４０４では、ログ集計サーバ１３は、キーワードランキングデータベース１３３４から、Ｓ４０３にて取得した「集計期間」にその「YYYYMMDDHH」の値が含まれている全レコード，及び、同じくＳ４０３にて取得した「対象集計期間」にその「YYYYMMDDHH」の値が含まれている全レコードを、抽出する。
【００４５】
次のＳ４０５では、ログ集計サーバ１３は、Ｓ４０３にて取得した「集計期間」にその「YYYYMMDDHH」の値が含まれているものとしてＳ４０４にて抽出した全レコードを、その「検索キーワード」毎に分類し、「検索キーワード」を共通するものとして分類されたレコード群毎にその「回数」の総和を第１集計値として集計する。同様に、ログ集計サーバ１３は、Ｓ４０３にて取得した「対象集計期間」にその「YYYYMMDDHH」の値が含まれているものとしてＳ４０４にて抽出した全レコードを、その「検索キーワード」毎に分類し、「検索キーワード」を共通するものとして分類されたレコード群毎にその「回数」の総和を第２集計値として集計する。そして、「集計期間」にその「YYYYMMDDHH」の値が含まれているレコードに基づいて算出した「回数」の総和がＳ４０３にて取得した「最低検索回数（検索回数）」以上である「検索キーワード」についてのみ、「集計期間」にその「YYYYMMDDHH」の値が含まれているレコードに基づいて算出した「回数」の総和（第１集計値，以下、「集計期間検索回数」という），及び、「対象集計期間」にその「YYYYMMDDHH」の値が含まれているレコードに基づいて算出した「回数」の総和（第２集計値，以下、「対象集計期間検索回数」という）を、Ｈｏｔキーワードデータベース１３３９に登録する。このＨｏｔキーワードデータベース１３３９は、図１１に示すように、検索キーワード毎に、その検索キーワード，集計期間検索回数（第１集計値），対象集計期間検索回数（第２集計値），後述するＮＧワードフラグ，定番ワードフラグ，及びＯＫワードフラグからなるレコードが、登録される構造となっている。但し、この時点においては、Ｈｏｔキーワードデータベース１３３９の各レコードにおけるＮＧワードフラグ，定番ワードフラグ，及びＯＫワードフラグは、夫々、リセットされた状態となっている。
【００４６】
次のＳ４０６では、ログ集計サーバ１３は、キーワードサイトランキングデータベース１３３５から、Ｈｏｔキーワードデータベース１３３９に登録されている各検索キーワード含み、且つ、Ｓ４０３にて取得した「集計期間」又は「対象集計期間」にその「YYYYMMDDHH」の値が含まれている全レコードを、抽出する。
【００４７】
次のＳ４０７では、ログ集計サーバ１３は、Ｓ４０３にて取得した「集計期間」にその「YYYYMMDDHH」の値が含まれているものとしてＳ４０６にて抽出した全レコードを、その「検索キーワード」及び「リダイレクトＵＲＬ」の組合せ毎に分類し、「検索キーワード」及び「リダイレクトＵＲＬ」の組み合わせを共通するものとして分類されたレコード群毎にその「回数」の総和を第１集計値として集計する。同様に、ログ集計サーバ１３は、Ｓ４０３にて取得した「対象集計期間」にその「YYYYMMDDHH」の値が含まれているものとしてＳ４０６にて抽出した全レコードを、その「検索キーワード」及び「リダイレクトＵＲＬ」の組合せ毎に分類し、「検索キーワード」及び「リダイレクトＵＲＬ」の組合せを共通するものとして分類されたレコード群毎にその「回数」の総和を第２集計値として集計する。そして、「集計期間」にその「YYYYMMDDHH」の値が含まれているレコードに基づいて算出した「回数」の総和がＳ４０３にて取得した「最低クリック数（クリック数）」以上である「検索キーワード」及び「リダイレクトＵＲＬ」の組合せについてのみ、「集計期間」にその「YYYYMMDDHH」の値が含まれているレコードに基づいて算出した「回数」の総和（第１集計値，以下、「集計期間クリック回数」という），及び、「対象集計期間」にその「YYYYMMDDHH」の値が含まれているレコードに基づいて算出した「回数」の総和（第２集計値，以下、「対象集計期間クリック回数」という）を、Ｈｏｔサイトデータベース１３４０に登録する。このＨｏｔサイトデータベース１３４０は、図１２に示すように、検索キーワード毎及びリダイレクトＵＲＬの組合せ毎に、その検索キーワード，リダイレクトＵＲＬ，集計期間クリック回数（第１集計値），対象集計期間クリック回数（第２集計値），後述するフィルタリングフラグからなるレコードが、登録される構造となっている。但し、この時点においては、Ｈｏｔサイトデータベース１３４０の各レコードにおけるフィルタリングフラグは、リセットされた状態となっている。
【００４８】
次のＳ４０８では、ログ集計サーバ１３は、Ｈｏｔキーワードデータベース１３３９に登録されている検索キーワードのうちから（未特定のキーワードを）一つを特定し、その検索キーワードが、ＯＫキーワードデータベース１３３６，ＮＧキーワードデータベース１３３７，及び、定番キーワードデータベース１３３８に登録されているか否かを、夫々チェックする。そして、その検索キーワードが何れかのデータベース１３３６〜１３３８に登録されている場合には、Ｈｏｔキーワードデータベース１３３９におけるその検索キーワードについてのレコード中の対応フラグをセットする。ここで、ＯＫキーワードデータベース１３３６は、多義的であるために検索キーワードとしては適切でない単語ををＯＫキーワードとして一括登録しているデータベースである。また、ＮＧキーワードデータベース１３３７は、放送禁止用語等その言葉自体が好ましくない単語及び有害サイトを検索してしまう蓋然性が高い単語をＮＧキーワードとして一括登録しているデータベースである。また、定番キーワードデータベース１３３８は、使用頻度が高すぎる結果として、定番のｗｅｂサイト（例えば、ポータルサイト）を検索するのに用いられていると考えることができる単語を一括登録しているデータベースである。
【００４９】
次のＳ４０９では、ログ集計サーバ１３は、Ｈｏｔキーワードデータベース１３３９に登録されている全検索キーワードをＳ４０８にて特定したか否かをチェックする。そして、ログ集計サーバ１３は、未だ全検索キーワードを特定していない場合には処理をＳ４０８へ戻し、全検査キーワードを特定し終わっている場合には処理をＳ４１０へ進める。
【００５０】
Ｓ４１０では、ログ集計サーバ１３は、Ｈｏｔサイトデータベース１３４０に登録されているリダイレクトＵＲＬのうちから（未特定のリダイレクトＵＲＬを）一つを特定し、そのリダイレクトＵＲＬがフィルタリングデータベース４１に登録されている有害ＵＲＬに該当するか否かの調査をフィルタリング事業者サーバ４に依頼し、そのリダイレクトＵＲＬがフィルタリングデータベース４１に登録されているとの回答を受け取った場合には、Ｈｏｔサイトデータベース１３４０におけるそのリダイレクトＵＲＬについてのレコード中のフィルタリングフラグをセットする。
【００５１】
次のＳ４１１では、ログ集計サーバ１３は、Ｈｏｔサイトデータベース１３４０に登録されている全リダイレクトＵＲＬをＳ４１０にて特定したか否かをチェックする。そして、ログ集計サーバ１３は、未だ全リダイレクトＵＲＬを特定していない場合には処理をＳ４１０へ戻し、全リダイレクトＵＲＬを特定し終わっている場合には処理をＳ４１２へ進める。
【００５２】
Ｓ４１２以降の処理は、Ｈｏｔキーワード＆Ｈｏｔサイトページ生成処理である。即ち、Ｓ４１２では、ログ集計サーバ１３は、Ｈｏｔキーワードデータベース１３３９中における何れのフラグ（ＮＧワードフラグ，定番ワードフラグ，ＯＫワードフラグ）もセットされていない全レコードについて、夫々、上昇率（＝集計期間検索回数［第１集計値］／対象集計期間検索回数［第２集計値］）を計算する。そして、算出した上昇率が高いものから順に各レコードをランク付けすることにより各レコードが示すキーワードの順位を決定する（キーワード順位決定ステップに相当）。そして、その順位に従って、検索キーワードを、図１７に示すＨｏｔキーワード＆Ｈｏｔサイトページを表示させるためのＨＴＭＬデータの雛形に埋め込む（順位提示ステップに相当する）。図１７に示すように、Ｈｏｔキーワード＆Ｈｏｔサイトページおいて、左から１番目のカラムには検索キーワードのランク順位（１〜５位）が記載され、その各ランク順位に隣接して、２番目のカラムにその順位の検索キーワードが表示される。
【００５３】
次のＳ４１３では、ログ集計サーバ１３は、Ｈｏｔサイトデータベース１３４０中におけるフィルタリングフラグがセットされていない全レコード（即ち、有害ＵＲＬを除外した全てのＵＲＬ［場所情報］を夫々含むレコード群）を、検索キーワードが同じもの毎に
分類する。そして、分類された検索キーワードを共通とするレコード群毎に、夫々の上昇率（＝集計期間クリック回数［第１集計値］／対象集計期間クリック回数［第２集計値］）を計算し、算出した上昇率が高いものから順に各レコードをランク付けすることにより、各レコードが示すリダイレクトＵＲＬの順位を決定する（サイト順位決定ステップに相当する）。そして、各検索キーワード毎に、その検索キーワードについてランク付けられた各リダイレクトＵＲＬを、その順位に従って、Ｈｏｔキーワード＆Ｈｏｔサイトページを表示させるためのＨＴＭＬデータの雛形に埋め込む（順位提示ステップに相当する）。図１７に示すように、Ｈｏｔキーワード＆Ｈｏｔサイトページおいて、左から２番目のカラムに表示されている各検索キーワードの下に、その検索キーワードについてランク付けされた各リダイレクトＵＲＬが、そのランク順位及びウェブサイト名とともに、ランク順に表示される。そして、各リダイレクトＵＲＬには、ログ集計サーバ１３によって、そのリダイレクトＵＲＬに対するリンク（アンカータグ）も組み込まれるのである。
【００５４】
次のＳ４１４では、ログ集計サーバ１３は、Ｓ４１２及びＳ４１３での埋め込みがなされることによって生成されたＨｏｔキーワード＆Ｈｏｔサイトページを表示させるためのＨＴＭＬデータを、ページ公開サーバ１４にアップロードする（順位提示ステップに相当する）。
【００５５】
すると、以後、何れかのユーザ端末２からそのＨｏｔキーワード＆ＨｏｔサイトページのＵＲＬを指定したＨＴＴＰリクエストメッセージが、ページ公開サーバ１４へ送られてくると、ページ公開サーバ１４が、このＨｏｔキーワード＆Ｈｏｔサイトページを表示させるためのＨＴＭＬデータを、リクエスト元のユーザ端末２へ送信するので、このユーザ端末２のディスプレイ２２上に、Ｈｏｔキーワード＆Ｈｏｔサイトページが表示される（順位提示ステップに相当する）。その結果、そのユーザ端末２を操作しているユーザは、このＨｏｔキーワード＆Ｈｏｔサイトページにおける検索キーワードを見ることにより、現在世間においてどのような話題が人々の耳目を集めているかを知ることができる。そして、その話題の内容を知りたい場合には、その検索キーワードに対応したリダイレクトＵＲＬの何れかをクリックすれば良い。このリダイレクトＵＲＬは、過去において多くの人がその検索キーワードに基づいて実際に閲覧したウェブサイトを示すものであるので、その話題の中身を含んでいる蓋然性が極めて高い。
【００５６】
しかも、このＨｏｔキーワード＆Ｈｏｔサイトページに掲載されている検索キーワードには、ＯＫワード，ＮＧワード及び定番ワードが含まれていないので、世間において耳目を集めている話題を示している慨然性が極めて強くなっている。また、このＨｏｔキーワード＆Ｈｏｔサイトページに掲載されているリダイレクトＵＲＬには、フィルタリング事業者サーバ４においてフィルタリングデータベース４１に一覧されている有害サイトのＵＲＬが含まれていない。よって、何れのＵＲＬをクリックしたとしても、有害サイトにアクセスしてそのページを表示させてしまうことがないので、安心して、そのＵＲＬが示す健全なウェブサイトのみを閲覧することができる。本実施形態によると、このような有害サイトのフィルタリングを、フィルタリング事業者サーバ４１との通信を通じて自動的に行うことができるので、管理者の手間を低減することができるとともに、フィルタリングの漏れを防止することができる。
【００５７】
次のＳ４１５では、ログ集計サーバ１３は、このＨｏｔキーワード＆Ｈｏｔサイトページを表示させるためのＨＴＭＬデータを、Ｓ４００にてコンソール１５へ送信したＨｏｔキーワード＆Ｈｏｔサイト条件入力画面を表示させるためのＨＴＭＬデータに結合し、結合したＨＴＭＬデータをコンソール１５へ送信する。その結果、コンソール１５のディスプレイには、図１６に示すように、Ｈｏｔキーワード＆Ｈｏｔサイトページ及びＨｏｔキーワード＆Ｈｏｔサイト条件入力画面を結合してなる画面が表示されるので、このコンソール１５を操作している検索サービス提供事業者の従業員は、Ｈｏｔキーワード＆Ｈｏｔ
サイトページの部分を見ることによって、条件の設定が適切であったか否かを確認し、適切でなさそうであれば、Ｈｏｔキーワード＆Ｈｏｔサイト条件入力画面の部分に条件を設定し直して、Ｈｏｔキーワード＆Ｈｏｔサイトページを生成し直させることができる。
【００５８】
なお、本実施形態においては、検索サーバプログラム１１２１，リアダイレクトサーバプログラム１２２１，ログ集計サーバプログラム１３２１及びページ公開サーバプログラム１４２１が夫々別々のサーバコンピュータ上で実行されるものとして説明したが、これらプログラムは、一台のサーバコンピュータ上において並行実行又は時系列に実行されるものであっても良い。また、本実施形態においては、検索サーバ１１，リダイレクトサーバ１２，ログ集計サーバ１３及びページ公開サーバ１４は、ＬＡＮを介して相互に接続されるものであるとして説明したが、これらサーバコンピュータは、インターネットＮを介して互いに接続されていても良い。
【００５９】
本実施形態においては、集計期間及び比較対象期間は、コンソール１５を通じて夫々固定的に設定されるが、それ以外にも、所定周期毎に集計期間及び比較対照集計期間が自動的に更新され、それと同時に、Ｈｏｔキーワード＆Ｈｏｔサイト画面が更新されるのであっても良い。
【００６０】
また、本実施形態においては、検索サービスシステム１の外に、検索サービス提供事業者とは別のフィルタリング事業者によって管理運営されるフィルタリング事業者サーバ４が存在しているが、このフィルタリング事業者サーバ４と同じ機能を有するサーバが、検索サービス提供事業者によって管理運営されるものとして、検索サービスシステム１内に存在していても良い。
【符号の説明】
【００６１】
１ 検索システム
２ ユーザ端末
３ コンテンツプロバイダサーバ
４ フィルタリング事業者サーバ
１１ 検索サーバ
１２ リダイレクトサーバ
１３ ログ集計サーバ
１４ ページ公開サーバ
１１２１ 検索サーバプログラム
１１３１ 検索キーワードログ
１２２１ リダイレクトサーバプログラム
１２３１ リダイレクトサイトログ
１３２１ ログ集計サーバプログラム
１３３１ Ｈｏｔキーワード定義
１３３２ キーワードログデータベース
１３３３ リダイレクトログデータベース
１３３４ キーワードランキングデータベース
１３３５ キーワードサイトランキングデータベース
１３３９ Ｈｏｔキーワードデータベース
１３４０ Ｈｏｔサイトデータベース
【図１】
0004833305.tif 000002
【図２】
0004833305.tif 000003
【図３】
0004833305.tif 000004
【図４】
0004833305.tif 000005
【図５】
0004833305.tif 000006
【図６】
0004833305.tif 000007
【図７】
0004833305.tif 000008
【図８】
0004833305.tif 000009
【図９】
0004833305.tif 000010
【図１０】
0004833305.tif 000011
【図１１】
0004833305.tif 000012
【図１２】
0004833305.tif 000013
【図１３】
0004833305.tif 000014
【図１４】
0004833305.tif 000015
【図１５】
0004833305.tif 000016
【図１６】
0004833305.tif 000017
【図１７】
0004833305.tif 000018